(57)【要約】【課題】部品点数および組み立て工数を増加させることなく、基板の反りを矯正すること。【解決手段】電子部品３０が実装された基板２２の側方に装着されるパネル１０であって、基板２２の側面に沿って、該基板２２に対して略立直するように配置される側板部４０と、側板部４０の両端側に設けられる押し上げ部４６と、側板部４０における押し上げ部４６の外側もしくは内側に、押し上げ部４６と高さ方向の隙間を有して設けられる押し下げ部４４と、を有し、基板２２の辺縁部を隙間に挿入すると、押し下げ部４４の下面４４ｃが基板２２の上面２２ｂと当接すると共に、押し上げ部４６の上面４６ｃが基板２２の下面２２ａと当接することで、基板２２において押し上げ部４６が当接する部分が押し上げ部４６によって押し上げられると共に、基板２２において押し下げ部４４が当接する部分が、押し下げ部４４によって押し下げられることを特徴とする。【選択図】図１
2009176810.tif 000002
【特許請求の範囲】
【請求項１】
電子部品が実装された基板の側方に装着されるパネルであって、
上記基板の側面に沿って、該基板に対して略立直するように配置される側板部と、
上記側板部の両端側に設けられる押し上げ部と、
上記側板部における上記押し上げ部の外側もしくは内側に、上記押し上げ部と高さ方向の隙間を有して設けられる押し下げ部と、
を有し、
上記基板の辺縁部を上記隙間に挿入すると、上記押し下げ部の下面が上記基板の上面と当接すると共に、上記押し上げ部の上面が上記基板の下面と当接することで、上記基板において上記押し上げ部と当接する部分が、上記押し上げ部によって押し上げられると共に、上記基板において上記押し下げ部と当接する部分が、上記押し下げ部によって押し下げられることを特徴とするパネル。
【請求項２】
前記押し下げ部は、前記押し上げ部より高さ方向において高い位置に設けられ、かつ前記押し下げ部が、前記押し上げ部の外側に、該押し上げ部と横方向の隙間を有して設けられる場合、前記基板の外側が前記押し下げ部によって押し下げられると共に、前記基板の内側が前記押し上げ部によって押し上げられることにより、下方に向かって略Ｕ字状に反った前記基板の反りが矯正され、前記押し下げ部が、前記押し上げ部の内側に、該押し上げ部と横方向の隙間を有して設けられる場合、前記基板の内側が前記押し下げ部によって押し下げられると共に、前記基板の外側が前記押し上げ部によって押し上げられることにより、上方に向かって略逆Ｕ字状に反った前記基板の反りが矯正されることを特徴とする請求項１記載のパネル。
【請求項３】
前記押し上げ部および前記押し下げ部のそれぞれは、前記側板部の中心に対して略対称となる位置に設けられていることを特徴とする請求項１または２記載のパネル。
【請求項４】
前記押し上げ部と前記押し下げ部との間に形成される前記高さ方向の隙間の大きさは、前記基板の厚さと略同一であることを特徴とする請求項１から３のいずれか１項記載のパネル。
【請求項５】
前記側板部における前記電子部品と対応する位置には、前記基板から外側に突出する前記電子部品が挿入される開口部が設けられていることを特徴とする請求項１から３のいずれか１項記載のパネル。
【請求項６】
前記基板に装着すると、前記開口部を囲う面のうちの上側面に前記電子部品が当接することを特徴とする請求項１から５のいずれか１項記載のパネル。
【発明の詳細な説明】
【技術分野】
【０００１】
本発明は、パネルに関する。
【背景技術】
【０００２】
一般的に、プリント基板を半田ディップする際、半田ディップ時の熱によりプリント基板に反りが発生してしまう。この半田ディップ時の反りは、プリント基板のサイズが大きいほど顕著に現れる。特に、基板上において、電源端子、ＲＣＡ端子もしくはボリューム端子等が連立する部分に反りが発生すると、その後の組み立て工程において嵌合不良等の不具合が発生してしまう。
【０００３】
特許文献１には、プリント基板の辺縁部をクランプ部によって挟み込み、半田ディップ時に発生するプリント基板の反りを防止するプリント基板の反り防止治具が開示されている。
【０００４】
【特許文献１】実開平５−２５７７５号公報（要約書）
【発明の開示】
【発明が解決しようとする課題】
【０００５】
しかしながら、特許文献１に開示されているプリント基板の反り防止治具は、機器を構成する部材とは別の部材であるため、新たに別部材を用意する必要がある。その結果、部品点数および組み立て工数が増加すると共に、コストが上昇するといった問題が生じる。
【０００６】
本発明は、かかる問題に鑑みてなされたものであり、その目的とするところは、部品点数および組み立て工数を増加させることなく、基板の反りを矯正することが可能なパネルを提供しようとするものである。
【課題を解決するための手段】
【０００７】
上記課題を解決するために、本発明は、電子部品が実装された基板の側方に装着されるパネルであって、基板の側面に沿って、該基板に対して略立直するように配置される側板部と、側板部の両端側に設けられる押し上げ部と、側板部における押し上げ部の外側もしくは内側に、押し上げ部と高さ方向の隙間を有して設けられる押し下げ部と、を有し、基板の辺縁部を隙間に挿入すると、押し下げ部の下面が基板の上面と当接すると共に、押し上げ部の上面が基板の下面と当接することで、基板において押し上げ部と当接する部分が押し上げ部によって押し上げられると共に、基板において押し下げ部と当接する部分が、押し下げ部によって押し下げられるものである。
【０００８】
また、他の発明は、上述の発明に加えて更に、押し下げ部は、押し上げ部より高さ方向において高い位置に設けられ、かつ押し下げ部が、押し上げ部の外側に、該押し上げ部と横方向の隙間を有して設けられる場合、基板の外側が押し下げ部によって押し下げられると共に、基板の内側が押し上げ部によって押し上げられることにより、下方に向かって略Ｕ字状に反った基板の反りが矯正され、押し下げ部が、押し上げ部の内側に、該押し上げ部と横方向の隙間を有して設けられる場合、基板の内側が押し下げ部によって押し下げられると共に、基板の外側が押し上げ部によって押し上げられることにより、上方に向かって略逆Ｕ字状に反った基板の反りが矯正されるものである。
【０００９】
また、他の発明は、上述の発明に加えて更に、押し上げ部および押し下げ部のそれぞれは、側板部の中心に対して略対称となる位置に設けられているものである。
【００１０】
さらに、他の発明は、上述の発明に加えて更に、押し上げ部と押し下げ部との間に形成される高さ方向の隙間の大きさを、基板の厚さと略同一としたものである。
【００１１】
さらに、他の発明は、上述の発明に加えて更に、側板部における電子部品と対応する位置には、基板から外側に突出する電子部品が挿入される開口部が設けられているものである。
【００１２】
また、他の発明は、上述の発明に加えて更に、基板に装着すると、開口部を囲う面のうちの上側面に電子部品が当接するものである。
【発明の効果】
【００１３】
本発明によると、部品点数および組み立て工数を増加させることなく、基板の反りを矯正することができる。
【発明を実施するための最良の形態】
【００１４】
以下、本発明の一実施の形態に係るパネル１０について、図面を参照しながら説明する。なお、以下の説明において、図１〜図５に示す矢示Ｘ１方向を左、矢示Ｘ２方向を右方向、このＸ１方向とＸ２方向と水平方向で直交する方向となる矢示Ｙ１方向を前、矢示Ｙ２方向を後、このＸＹ平面と直交する方向の矢示Ｚ１方向を上方および矢示Ｚ２方向を下方とそれぞれ規定する。
【００１５】
図１は、本発明の一実施の形態に係るパネル１０とパネル１０が装着される基板体２０の斜視図である。図２は、図１中のパネル１０および基板体２０を矢示Ａ方向から見た部分的な斜視図である。図３は、図１中のパネル１０を矢示Ｂ方向から見た部分的な斜視図である。
【００１６】
図１に示すように、パネル１０は、基板体２０の前方側の辺縁部に、長手方向全域に渡って装着される。基板体２０は、プリント基板２２と、当該プリント基板２２に実装される各種電子部品とを有している。
【００１７】
プリント基板２２は略矩形状の形態を有する平板である。プリント基板２２における前方側の端面の左右両端部近傍には、後方に向かって切り欠かれた合計２つの溝部２３が形成されている。本実施の形態では、各種電子部品として、プリント基板２２の前方側の辺縁部に、左から右に向かって順番に、コネクタ端子２４、ＲＣＡ端子群２６、３つのボリューム端子２８および端子台３０が実装されている。また、左側２つのボリューム端子２８，２８の中央部前方には、スイッチ端子３２が実装されている。その他、プリント基板２２の内部領域には、チョークコイル、電源トランス、ケミカルコンデンサ等の複数の電子部品が実装されている。また、プリント基板２２の右側や後方の辺縁部には、複数の電界効果トランジスタ（ＦＥＴ）等の電子部品が実装されている。
【００１８】
図１に示すように、コネクタ端子２４は前方に向かって開口する接続口を備えた略四角形の箱型形状を有している。ＲＣＡ端子群２６は、略直方体形状の端子台２６ａと、該端子台２６ａから前方に突出するように対角状に備えられた４つのＲＣＡ端子２６ｂとを有する。ボリューム端子２８は、略直方体形状を有するボリューム端子台２８ａと、該ボリューム端子台２８ａから前方に向かって突出するボリューム端子ピン２８ｂとを有する。ボリューム端子ピン２８ｂは、周方向に回動自在となっている。端子台３０は、略平板状の壁部３０ａと、壁部３０ａの左側から前方に向かって突出する横長の略直方体形状の小端子台部３０ｂと、壁部３０ａの右側から前方に向かって突出する横長の略直方体形状の大端子台部３０ｃと、壁部３０ａにおける大端子台部３０ｃのさらに右側から前方に向かって突出する縦長の略直方体形状の縦長端子部３０ｄとを有する。
【００１９】
小端子台部３０ｂの下方には左右に４つ並ぶように端子接続部３０ｅが設けられている。また、大端子台部３０ｃの下方には左右に３つ並ぶように端子接続部３０ｆが設けられている。スイッチ端子３２は、略直方体形状を有するスイッチ端子台３２ａと、該スイッチ端子台３２ａから前方に突出するように設けられ、左右に移動することでＯＮ／ＯＦＦの切り替えを可能とする切替スイッチ３２ｂとを有する。なお、ＲＣＡ端子２６ｂ、ボリューム端子ピン２８ｂ、小端子台部３０ｂ、大端子台部３０ｃ、縦長端子部３０ｄおよび切替スイッチ３２ｂのそれぞれは、プリント基板２２より前方に突出している。
【００２０】
図１および図２に示すように、パネル１０は、平板状の側板部４０と、側板部４０の左右両端から後方に向かって略直角に折り曲げられた２つの端板部４２と、各端板部４２の下端から左右方向内側に向かって折り曲げられた２つの押し下げ部４４と、側板部４０における押し下げ部４４より内側の位置から、後方に向かって左右方向内側に折り曲げられた２つの押し上げ部４６と、側板部４０の上端から後方に向かって側に折り曲げられた上板部４８とを有する。
【００２１】
側板部４０は、前から見て略矩形状の形態を有しており、プリント基板２２の基板面に対して略立直するように配置される。側板部４０における下方の左右２つの角部は、それぞれ略逆Ｌ字状および略Ｌ字状に切り欠かれている。このため、側板部４０は、これらの切り欠き部によって幅を狭められた下端部５０を有する。また、この下端部５０の中央部は上方に向かって凸状に切り欠かれている。この凸状の切り欠きによって、下端部５０の両端側には、下方に向かって延出する下方延出部５２が形成されている。
【００２２】
また、側板部４０におけるコネクタ端子２４と対応する位置には、略四角形状のコネクタ孔５４が形成され、ＲＣＡ端子２６ｂと対応する位置には、円形のＲＣＡ端子孔５６が対角状に合計４つ形成されている。また、側板部４０におけるボリューム端子ピン２８ｂと対応する位置には、円形のピン孔５８が左右に３つ並んで形成され、切替スイッチ３２ｂと対応する位置には、矩形状のスイッチ孔６０が形成されている。また、側板部４０における小端子台部３０ｂおよび大端子台部３０ｃのそれぞれと対応する位置には、横長の矩形状の小端子孔６２および大端子孔６４がそれぞれ形成されている。また、側板部４０における縦長端子部３０ｄと対応する位置には、縦長の矩形状の縦長端子孔６５が形成されている。
【００２３】
上述したように、端板部４２は、側板部４０の左右両端から後方に向かって略直角に折り曲げられている。端板部４２は、側板部４０の両端に、左右一対に設けられている。図３に示すように、左側の端板部４２は、横から見て略台形状の形態を有している。また、端板部４２の付け根部分には略逆Ｌ字状に切り欠かれた切欠部６６が形成されている。当該切欠部６６の上端面６６ａは、側板部４０において略逆Ｌ字状に切り欠かれた部分の上端面４０ａと面一となっている。なお、右側の端板部４２は、左側の端板部４２と左右対称形状となるように側板部４０の右端に形成されている。
【００２４】
押し下げ部４４は、上述したように、左右の端板部４２の下端から左右方向内側に向かって折り曲げられている。押し下げ部４４は、各端板部４２の下端に、左右一対に設けられている。図３に示すように、左側の押し下げ部４４は、上から見て略矩形状の形態を有している。また、押し下げ部４４には、前後に並ぶように合計２つの円孔４４ａが設けられている。これらのうち後方の円孔４４ａの外周縁は、円周状の形態で上方に向かって突出している。なお、右側の押し下げ部４４は、左側の押し下げ部４２と左右対称形状となるように右側の端板部４２の下端に形成されている。
【００２５】
押し上げ部４６は、側板部４０において切り欠かれた部分の側端面４０ｂから左右方向内側に向かって折り曲げられている。このため、押し下げ部４４は、押し上げ部４６より内側に横方向の間隔を有して設けられていることになる。押し上げ部４６は、下端部５０の両端に、左右一対に設けられている。押し上げ部４６は、横から見て、縦長の矩形状の形態を有する矩形部４６ａと、矩形部４６ａの下端部近傍から後方に向かって延出する受止部４６ｂとを有する。受止部４６ｂは、先端がテーパ状に切り欠かれた略台形形状を有する。図３に示すように、押し下げ部４４の下面４４ｃと、押し上げ部４６の上面となる上端面４６ｃとの間には、上下方向において隙間Ｈを有する。本実施の形態では、隙間Ｈの大きさは、プリント基板２２の厚みと略同一の寸法である１．６ｍｍとされている。しかしながら、隙間Ｈの大きさは、当該寸法に限定されるものではない。なお、右側の押し上げ部４６は、左側の押し上げ部４６と左右対称形状となるように右側の側端面４０ｂに形成されている。
【００２６】
上板部４８は、上述したように、側板部４０の上端から後方に向かってに折り曲げられている。上板部４８は、上から見て略矩形状の形態を有している。上板部４８における後方の左右２つの角部には、それぞれ略逆Ｌ字状および略Ｌ字状に切り欠かれたＬ字切欠部４８ａが形成されている。また、上板部４８には、前方側に向かって矩形状に切り欠かれた矩形切欠部４８ｂが、左右方向に間隔をあけて合計４つ形成されている。
【００２７】
次に、パネル１０を基板体２０に装着した状態について説明する。
【００２８】
図４は、パネル１０を基板体２０に装着した状態を示す正面図である。図５は、パネル１０を基板体２０に装着した状態を示す側面図である。なお、図５においては、プリント基板２２に実装される電子部品の図示を省略する。
【００２９】
パネル１０は、プリント基板２２における左右２箇所の辺縁部を、図３に示す隙間Ｈに挿入することによって、基板体２０に装着される。また、パネル１０を基板体２０に装着する際には、各押し下げ部４６の矩形部４６ａを、プリント基板２２の溝部２３に係合させる。矩形部４６ａが溝部２３に係合することで、パネル１０のプリント基板２２に対する左右方向の位置決めがなされる。
【００３０】
また、上述したように、パネル１０におけるＲＣＡ端子孔５６、ピン孔５８、スイッチ孔６０、小端子孔６２、大端子孔６４および縦長端子孔６５のそれぞれは、プリント基板２２より前方に突出している。このため、ＲＣＡ端子孔５６、ピン孔５８、スイッチ孔６０、小端子孔６２、大端子孔６４および縦長端子孔６５のそれぞれに、ＲＣＡ端子２６ｂ、ボリューム端子ピン２８ｂ、切替スイッチ３２ｂ、小端子台部３０ｂ、大端子台部３０ｃおよび縦長端子部３０ｄのそれぞれを挿入させるように、パネル１０を基板体２０に装着する。
【００３１】
さらに、図２に示すように、小端子台部３０ｂと、小端子孔６２の左右方向の寸法Ｊは略同一となっている。このため、パネル１０を基板体２０に装着すると、小端子台部３０ｂは、小端子孔６２に対して左右に隙間ない状態で嵌まり込む。したがって、小端子台部３０ｂと小端子孔６２の嵌め合いによって、パネル１０の基板体２０に対する左右方向の位置決めがなされる。
【００３２】
また、パネル１０を基板体２０に装着した状態では、小端子台部３０ｂの上端面３０ｇが小端子孔６２を囲む上方の端面となる上側面６２ａと当接し、小端子台部３０ｂが上側面６２ａによって押圧された状態となる。したがって、小端子台部３０ｂと小端子孔６２の嵌め合いによって、パネル１０の基板体２０に対する上下方向の位置決めもなされる。
【００３３】
また、図４に示すように、下方に向かってＵ字状に反った基板体２０にパネル１０を装着すると、プリント基板２２の下面２２ａが押し上げ部４６の上端面４６ｃと当接して上方に押し上げられ、上面２２ｂが押し下げ部４４の下面４４ｃと当接して下方に押し下げられる。すなわち、プリント基板２２の内側の領域が押し上げ部４６によって押し上げられると共に、プリント基板２２の外側の領域が押し下げ部４４によって押し下げられる。その結果、基板体２０には、図４に示すような矢示Ｍ方向のモーメントが働き、基板体２０の反りが矯正される。
【００３４】
以上のように構成されたパネル１０では、押し下げ部４４と押し上げ部４６との間に形成される隙間Ｈに、プリント基板２２の辺縁部を挿入すると、プリント基板２２の内側の領域が押し上げ部４６によって押し上げられると共に、プリント基板２２の外側の領域が押し下げ部４４によって押し下げられる。その結果、基板体２０が反っている方向とは逆の方向にモーメントが働き、基板体２０の反りが矯正される。したがって、後の組立工程において、嵌合不良が発生したり、ネジ穴が位置ずれしたりするのを防止できる。また、機器を構成する部材以外の別部材を用いることなく、基板体２０の反りを矯正できる。このため、部品点数および組み立て工数を増加させることなく、基板体２０の反りを矯正することが可能となる。
【００３５】
また、パネル１０では、押し下げ部４４および押し上げ部４６のそれぞれは、パネル１０の中心に対して左右対称に設けられている。したがって、基板体２０の左右両端に均等な圧力を加えることができる。その結果、より効果的に基板体２０の反りを矯正することが可能となる。
【００３６】
また、パネル１０では、ＲＣＡ端子孔５６、ピン孔５８、スイッチ孔６０、小端子孔６２、大端子孔６４および縦長端子孔６５等の開口部が形成されている。したがって、パネル１０がプリント基板２２上に実装された電子部品とぶつかって、基板体２０に装着できなくなるのを防止できる。
【００３７】
また、パネル１０では、小端子孔６２の左右方向の寸法は、小端子台部３０ｂの左右方向の外寸と略同一とされている。このため、小端子台部３０ｂは小端子孔６２に対して左右に隙間ない状態で嵌まり込む。したがって、パネル１０の基板体２０に対する左右方向の位置決めを行うことが可能となる。その結果、パネル１０を基板体２０に対する正規の位置に装着することが可能となり、装着後にパネル１０がガタついたり位置ずれしたりするのを防止できる。
【００３８】
また、パネル１０を基板体２０に装着すると、小端子台部３０ｂの上端面３０ｇが小端子孔６２の上側面６２ａと当接し、小端子台部３０ｂが上側面６２ａによって押圧された状態となる。したがって、パネル１０の基板体２０に対する上下方向の位置決めを行うことが可能となる。その結果、パネル１０を基板体２０に対する正規の位置に装着することが可能となり、装着後にパネル１０がガタついたり位置ずれしたりするのを防止できる。
【００３９】
また、パネル１０では、押し上げ部４６は矩形部４６ａを有しており、該矩形部４６ａがプリント基板２２の溝部２３に係合する。このため、パネル１０の基板体２０に対する左右方向の位置決めを行うことが可能となる。
【００４０】
また、パネル１０では、押し下げ部４４と押し上げ部４６との間の隙間Ｈの大きさは、プリント基板２２と略同一の大きさとされている。したがって、基板体２０の両端部を水平な状態で保持することができる。その結果、基板体２０を水平な状態に矯正することが可能となる。
【００４１】
以上、本発明の一実施の形態について説明したが、本発明は上述の形態に限定されることなく、種々変形した形態にて実施可能である。
【００４２】
上述の実施の形態では、押し上げ部４６の外側に押し下げ部４４が設けられているが、押し上げ部４６の内側に押し下げ部４４を設けるように、押し上げ部４６と押し下げ部４４の左右の位置関係を逆にするようにしても良い。このように、逆の位置関係とすることで、上方に向かってＵ字状に反った基板体２０の反りを効果的に矯正することが可能となる。
【００４３】
また、上述の実施の形態では、押し下げ部４４は、押し上げ部４６に対して、隙間Ｈの間隔をあけて上方に設けられているが、押し下げ部４４を、押し上げ部４６よりも下方の位置に設けるようにしても良い。このような構成とすることで、大きく反った基板体２０の反りを効果的に矯正することが可能となる。
【００４４】
また、上述の実施の形態では、小端子台部３０ｂの上端面３０ｇに、小端子孔６２の上側面６２ａを当接させて高さ方向の位置決めを行っているが、例えば、大端子台部３０ｃの上端面に大端子孔６４の上方の端面を当接させる等、小端子台部３０ｂおよび小端子孔６２以外の他の電子部品と孔を用いて、上下方向の位置決めを行うようにしても良い。
【００４５】
また、上述の実施の形態では、押し上げ部４６は矩形部４６ａを有しているが、押し上げ部４６に矩形部４６ａを設けないようにしても良い。
【産業上の利用可能性】
【００４６】
本発明のパネルは、スピーカ、ＤＶＤ再生装置等の各種電気機器において利用することができる。
【図面の簡単な説明】
【００４７】
【図１】本発明の一実施の形態に係るパネルと当該パネルが装着される基板体の斜視図である。
【図２】図１中のパネルおよび基板体を矢示Ａ方向から見た部分的な斜視図である。
【図３】図１中のパネルを矢示Ｂ方向から見た部分的な斜視図である。
【図４】本発明の一実施の形態に係るパネルを基板体に装着した状態を示す正面図である。
【図５】本発明の一実施の形態に係るパネルを基板体に装着した状態を示す側面図である。
【符号の説明】
【００４８】
１０…パネル
２２…プリント基板（基板）
２２ａ…下面
２２ｂ…上面
２４…コネクタ端子（電子部品の一部）
２６…ＲＣＡ端子群（電子部品の一部）
２８…ボリューム端子（電子部品の一部）
３０…端子台（電子部品の一部）
３２…スイッチ端子（電子部品の一部）
４０…側板部
４４…押し下げ部
４４ｃ…下面
４６…押し上げ部
４６ｃ…上端面（上面）
５４…コネクタ孔（開口部の一部）
５６…ＲＣＡ端子孔（開口部の一部）
５８…ピン孔（開口部の一部）
６０…スイッチ孔（開口部の一部）
６２…小端子孔（開口部の一部）
６２ａ…上側面
６４…大端子孔（開口部の一部）
６５…縦長端子孔（開口部の一部）
Ｈ…隙間
【図１】
2009176810.tif 000003
【図２】
2009176810.tif 000004
【図３】
2009176810.tif 000005
【図４】
2009176810.tif 000006
【図５】
2009176810.tif 000007